(57)【特許請求の範囲】
【請求項１】
サーバ装置と無線により情報を送受信するデジタルカメラであって、
画像を撮影する画像撮影手段と、
該画像撮影手段により撮影された画像から縮小画像を生成する縮小画像生成手段と、
画像が記憶される画像メモリと、
当該デジタルカメラ又は該デジタルカメラの利用者を特定するために、前記サーバ装置で生成されたカメラＩＤが記憶されるカメラＩＤメモリと、
前記画像撮影手段により撮影された画像を特定するための画像ＩＤを生成する画像ＩＤ生成手段と、
前記画像撮影手段により撮影された画像と、前記カメラＩＤメモリから読み出されたカメラＩＤと、前記画像ＩＤ生成手段により生成された当該画像を特定する画像ＩＤとを、通信手段により前記サーバ装置に送信する画像送信手段と、
前記縮小画像生成手段により生成された前記画像の縮小画像と前記画像の画像ＩＤとを関連付けて前記画像メモリに記憶する縮小画像記憶手段と、
使用者の操作により、前記画像メモリに記憶された縮小画像を選択する縮小画像選択手段と、
前記縮小画像選択手段により選択された縮小画像に関連付けられた画像ＩＤと、前記カメラＩＤメモリから読み出されたカメラＩＤとを含む画像要求を、前記サーバ装置に送信する画像要求送信手段と、
前記画像要求に応じて前記サーバ装置から送信された前記画像ＩＤで特定される画像を受信する画像受信手段と、
前記画像受信手段により受信された画像を前記画像メモリに記憶する画像記憶手段と、
を有し、
前記画像撮影手段により撮影された画像は、前記サーバ装置から取得するまでは、前記画像メモリには記憶されない、
ことを特徴とするデジタルカメラ。
【請求項２】
前記画像受信手段により受信された、前記画像ＩＤで特定される画像は、電子透かしが合成された画像である、
ことを特徴とする請求項１記載のデジタルカメラ。
【請求項３】
使用者により入力された使用者情報を前記サーバ装置に送信し、該送信した使用者情報に応じて、前記サーバ装置から送信された前記カメラＩＤを受信して前記カメラＩＤメモリに記憶する、
ことを特徴とする請求項１又は２記載のデジタルカメラ。
【請求項４】
無線により情報を送受信するデジタルカメラとサーバ装置を含む撮影管理システムであって、
前記デジタルカメラは、
画像を撮影する画像撮影手段と、
該画像撮影手段により撮影された画像から縮小画像を生成する縮小画像生成手段と、
画像が記憶される画像メモリと、
当該デジタルカメラ又は該デジタルカメラの利用者を特定するために、前記サーバ装置で生成されたカメラＩＤが記憶されるカメラＩＤメモリと、
前記画像撮影手段により撮影された画像を特定するための画像ＩＤを生成する画像ＩＤ生成手段と、
前記画像撮影手段により撮影された画像と、前記カメラＩＤメモリから読み出されたカメラＩＤと、前記画像ＩＤ生成手段により生成された当該画像を特定する画像ＩＤとを、通信手段により前記サーバ装置に送信する画像送信手段と、
前記縮小画像生成手段により生成された前記画像の縮小画像と前記画像の画像ＩＤとを関連付けて前記画像メモリに記憶する縮小画像記憶手段と、
使用者の操作により、前記画像メモリに記憶された縮小画像を選択する縮小画像選択手段と、
前記縮小画像選択手段により選択された縮小画像に関連付けられた画像ＩＤと、前記カメラＩＤメモリから読み出されたカメラＩＤとを含む画像要求を、前記サーバ装置に送信する画像要求送信手段と、
前記画像要求に応じて前記サーバ装置から送信された前記画像ＩＤで特定される画像を受信する画像受信手段と、
前記画像受信手段により受信された画像を前記画像メモリに記憶する画像記憶手段と、
を有し、
前記サーバ装置は、
前記カメラＩＤを生成するカメラＩＤ生成手段と、
該カメラＩＤ生成手段により生成されたカメラＩＤを基にデジタルカメラの管理に関連する情報が記憶される管理ＤＢと、
該デジタルカメラが撮影した画像に関連する情報が記憶される画像情報ＤＢと、
前記画像送信手段により前記デジタルカメラから送信された前記画像および前記カメラＩＤおよび前記画像ＩＤを受信する画像情報受信手段と、
前記画像情報受信手段により受信された前記画像および前記カメラＩＤおよび前記画像ＩＤを前記画像情報ＤＢに記憶する画像情報記憶手段と、
前記デジタルカメラから送信された前記画像要求を受信する画像要求受信手段と、
前記カメラＩＤを認証する認証手段と、
前記認証手段により前記カメラＩＤが認証された場合、前記画像要求受信手段により受信された前記画像要求に含まれる前記画像ＩＤにより特定される画像を前記画像情報ＤＢより読み出して、前記デジタルカメラに送信する第２の画像送信手段と、
を有し、
前記デジタルカメラにおいて、前記画像撮影手段により撮影された画像は、前記サーバ装置から取得するまでは、前記画像メモリには記憶されない、
ことを特徴とする撮影管理システム。
【請求項５】
前記サーバ装置は、
電子透かしを生成する透かし生成手段と、
前記透かし生成手段により生成された電子透かしを前記画像情報受信手段により受信された前記画像に合成する透かし合成手段と、
を更に有することを特徴とする請求項４記載の撮影管理システム。
【請求項６】
前記デジタルカメラは、
使用者により入力された使用者情報を前記サーバ装置に送信する使用者情報送信手段と、
前記サーバ装置から送信された前記カメラＩＤを受信して前記カメラＩＤメモリに記憶するカメラＩＤ記憶手段と、
を更に有し、
前記サーバ装置は、
前記デジタルカメラから送信された使用者情報を受信する使用者情報受信手段と、
前記使用者情報受信手段により受信された使用者情報と前記カメラＩＤ生成手段により生成されたカメラＩＤとを関連付けて前記管理ＤＢに記憶する使用者情報記憶手段と、
を更に有する、
ことを特徴とする請求項４記載の撮影管理システム。
【請求項７】
前記デジタルカメラは、
使用者の操作により、前記縮小画像選択手段により選択された縮小画像に関連付けられた画像ＩＤで特定される画像の印刷注文情報を入力する印刷注文情報入力手段と、
前記画像ＩＤおよび当該画像ＩＤで特定される画像の印刷注文情報および前記カメラＩＤメモリから読み出されたカメラＩＤを含む印刷注文を前記サーバ装置に送信する印刷注文送信手段と、
を更に有し、
前記サーバ装置は、
前記デジタルカメラから送信された印刷注文を受信する印刷注文受信手段と、
前記印刷注文受信手段により受信された前記印刷注文に含まれる画像ＩＤで特定される画像を前記画像情報ＤＢより読み出して、前記印刷注文に含まれる印刷注文情報と共に所定の印刷装置に送信する印刷注文手段と、
を更に有する、
ことを特徴とする請求項４乃至６の何れか一項記載の撮影管理システム。
【請求項８】
無線により情報を送受信するデジタルカメラとサーバ装置を含むシステムにおける撮影管理方法であって、
前記デジタルカメラは、
画像を撮影し、
該撮影した画像から縮小画像を生成し、
前記撮影した画像を特定するための画像ＩＤを生成し、
前記生成した縮小画像と前記生成した画像ＩＤとを関連付けて画像メモリに記憶し、
前記撮影した画像と、前記生成した画像ＩＤと、カメラＩＤメモリに記憶されている当該デジタルカメラ又は該デジタルカメラの利用者を特定するためのカメラＩＤとを、前記サーバ装置に送信し、
前記サーバ装置は、
前記デジタルカメラから送信された前記画像および前記画像ＩＤおよび前記カメラＩＤを受信し、
前記受信したカメラＩＤを認証し、
前記カメラＩＤが認証された場合、前記画像および前記画像ＩＤおよび前記カメラＩＤを関連付けて画像情報ＤＢに記憶し、
前記デジタルカメラは、
前記画像メモリに記憶されている縮小画像の中から、使用者の操作により選択された縮小画像に関連付けされている画像ＩＤと、前記カメラＩＤメモリに記憶されているカメラＩＤとを含む画像要求を、前記サーバ装置に送信し、
前記サーバ装置は、
前記デジタルカメラから送信された画像要求を受信し、
前記受信した画像要求に含まれるカメラＩＤを認証し、
前記カメラＩＤが認証された場合、前記画像要求に含まれる画像ＩＤで特定される画像を前記画像情報ＤＢから読み出し、
前記画像情報ＤＢから読み出した画像を前記デジタルカメラに送信し、
前記デジタルカメラは、
前記サーバ装置が送信した前記画像を受信し、
前記受信した画像を、前記画像メモリに記憶することにより、
前記デジタルカメラにおいて、撮影した画像は、前記サーバ装置から取得するまでは、前記画像メモリには記憶されない、
ことを特徴とする撮影管理方法。
【請求項９】
前記サーバ装置は、
前記カメラＩＤが認証された場合、電子透かしを生成し、
前記受信した前記デジタルカメラから送信された画像に、前記生成した電子透かしを合成し、
該電子透かしを合成した画像と、前記カメラＩＤ及び画像ＩＤとを、関連付けて画像情報ＤＢに記憶し、
前記画像要求を受信したときには、該カメラＩＤと画像ＩＤとに関連付けされている画像を前記画像情報ＤＢから読み出し、該読み出した画像を前記デジタルカメラに送信する、
ことを特徴とする請求項８に記載の撮影管理方法。
【請求項１０】
前記デジタルカメラは、
前記使用者の操作により選択された縮小画像に関連付けられた画像ＩＤで特定される画像についての印刷注文情報を入力し、
前記画像ＩＤおよび当該画像ＩＤで特定される画像の印刷注文情報および前記カメラＩＤメモリから読み出されたカメラＩＤを含む印刷注文を前記サーバ装置に送信し、
前記サーバ装置は、
前記デジタルカメラから送信された印刷注文を受信し、
前記受信した前記印刷注文に含まれる画像ＩＤで特定される画像を前記画像情報ＤＢより読み出して、前記印刷注文に含まれる印刷注文情報と共に所定の印刷装置に送信する、
ことを特徴とする請求項８に記載の撮影管理方法。
【請求項１１】
前記サーバ装置は、
カメラＩＤと画像ＩＤと印刷注文情報とを含む印刷要求を受信したときには、該印刷要求に含まれる前記カメラＩＤと画像ＩＤとに関連付けされている画像を前記画像情報ＤＢから読み出し、該読み出した画像と印刷注文情報とを前記印刷装置に送信し、
前記印刷注文情報に応じて印刷料金を計算し、前記カメラＩＤにより特定される利用者の決済口座から前記印刷料金を引き落とす処理を行い、
前記印刷料金を前記利用者の決済口座から引き落としたことを通知する領収書情報を生成し、該生成した領収書情報を前記デジタルカメラに送信する、
ことを特徴とする請求項１０に記載の撮影管理方法。
【請求項１２】
画像を撮影する画像撮影手段と、
該画像撮影手段により撮影された画像から縮小画像を生成する縮小画像生成手段と、
画像が記憶される画像メモリと、
当該デジタルカメラ又は該デジタルカメラの利用者を特定するためのカメラＩＤが記憶されるカメラＩＤメモリと、
前記画像撮影手段により撮影された画像を特定するための画像ＩＤを生成する画像ＩＤ生成手段と、
無線によりサーバ装置と情報の送受信を行う通信手段と、
画像を撮影したときに前記通信手段を介して前記サーバ装置に暗号キーを要求する暗号キー要求手段と、
前記暗号キー要求に応じて前記サーバ装置から送信された暗号キーを前記通信手段を介して受信する暗号キー受信手段と、
前記暗号キー受信手段により受信された暗号キーにより前記画像撮影手段により撮影された画像を暗号化する画像暗号化手段と、
前記画像暗号化手段により暗号化された画像と、当該暗号化された画像の縮小画像および画像ＩＤとを関連付けて前記画像メモリに記憶する画像記憶手段と、
前記画像記憶手段により前記画像メモリに記憶された前記暗号化した画像に関連付けられた画像ＩＤと前記カメラＩＤメモリから読み出したカメラＩＤとを前記通信手段を介して前記サーバ装置に送信する画像情報送信手段と、
使用者の操作により前記画像メモリに記憶された前記縮小画像を選択する縮小画像選択手段と、
前記縮小画像選択手段により選択された縮小画像に関連付けられた画像ＩＤと前記カメラＩＤメモリから読み出したカメラＩＤとを含む復号キー要求を前記通信手段を介して前記サーバ装置に送信する復号キー要求送信手段と、
前記復号キー要求に応じて、前記サーバ装置から送信された復号キーを前記通信手段を介して受信する復号キー受信手段と、
前記復号キー受信手段により受信された復号キーで前記縮小画像選択手段により選択された縮小画像に関連付けられた暗号化された画像を復号化する画像復号手段と、
を有することを特徴とするデジタルカメラ。
【請求項１３】
画像に電子透かしを合成する透かし合成手段を更に有し、
前記暗号キー受信手段は、前記サーバ装置から前記暗号キーと共に送信された透かしデータを受信し、
前記透かし合成手段は、前記画像撮影手段により撮影された画像と、前記受信した透かしデータを合成し、
前記画像記憶手段は、前記暗号キーにより前記透かし合成手段により透かしデータが合成された画像を暗号化する、
ことを特徴とする請求項１２記載のデジタルカメラ。
【請求項１４】
前記カメラＩＤメモリに記憶されるカメラＩＤは、前記サーバ装置が発行したものである、
ことを特徴とする請求項１２又は１３記載のデジタルカメラ。
【請求項１５】
デジタルカメラとサーバ装置を含む撮影管理システムであって、
前記デジタルカメラは、
画像を撮影する画像撮影手段と、
該画像撮影手段により撮影された画像から縮小画像を生成する縮小画像生成手段と、
画像が記憶される画像メモリと、
当該デジタルカメラ又は該デジタルカメラの利用者を特定するためのカメラＩＤが記憶されるカメラＩＤメモリと、
前記画像撮影手段により撮影された画像を特定するための画像ＩＤを生成する画像ＩＤ生成手段と、
無線によりサーバ装置と情報の送受信を行う第１の通信手段と、
前記第１の通信手段を介して前記サーバ装置に暗号キーを要求する暗号キー要求手段と、
前記暗号キー要求に応じて前記サーバ装置から送信された暗号キーを前記第１の通信手段を介して受信する暗号キー受信手段と、
前記暗号キー受信手段により受信された暗号キーにより前記画像撮影手段により撮影された画像を暗号化する画像暗号化手段と、
前記画像暗号化手段により暗号化された画像と、当該暗号化された画像の縮小画像および画像ＩＤとを関連付けて前記画像メモリに記憶する画像記憶手段と、
前記画像記憶手段により前記画像メモリに記憶した前記暗号化した画像に関連付けられた画像ＩＤと前記カメラＩＤメモリから読み出したカメラＩＤとを前記第１の通信手段を介して前記サーバ装置に送信する画像情報送信手段と、
使用者の操作により前記画像メモリに記憶された前記縮小画像を選択する縮小画像選択手段と、
前記縮小画像選択手段により選択された縮小画像に関連付けられた画像ＩＤと前記カメラＩＤメモリから読み出したカメラＩＤとを含む復号キー要求を前記第１の通信手段を介して前記サーバ装置に送信する復号キー要求送信手段と、
前記復号キー要求に応じて、前記サーバ装置から送信された復号キーを前記第１の通信手段を介して受信する復号キー受信手段と、
前記復号キー受信手段により受信された復号キーで前記縮小画像選択手段により選択された縮小画像に関連付けられた暗号化された画像を復号化する画像復号手段と、
を有し、
前記サーバ装置は、
無線により前記デジタルカメラと情報の送受信を行う第２の通信手段と、
前記カメラＩＤを生成するカメラＩＤ生成手段と、
該カメラＩＤ生成手段により生成されたカメラＩＤを基にデジタルカメラの管理に関連する情報が記憶される管理ＤＢと、
該デジタルカメラが撮影した画像に関連する情報が記憶される画像情報ＤＢと、
前記第２の通信手段を介して受信した前記暗号キー要求に応じて、暗号キーおよび復号キーを生成する暗号キー生成手段と、
前記暗号キー生成手段により生成された前記暗号キーを前記第２の通信手段を介して、前記暗号キー要求を送信した前記デジタルカメラに送信する暗号キー送信手段と、
前記第２の通信手段を介して受信した前記デジタルカメラのカメラＩＤと前記暗号キー送信手段により送信された暗号キーにより前記デジタルカメラで暗号化された画像の画像ＩＤと前記暗号キー生成手段により生成された復号キーとを関連付けて前記画像情報ＤＢに記憶する画像情報記憶手段と、
前記第２の通信手段を介して受信した、前記カメラＩＤおよび画像ＩＤを含む複合キー要求に応じて、前記カメラＩＤおよび画像ＩＤに関連付けられた復号キーを前記画像情報ＤＢから読み出し、該復号キーを前記第２の通信手段を介して送信する復号キー送信手段と、
を有する、
ことを特徴とする撮影管理システム。
【請求項１６】
前記サーバ装置は、透かしデータを生成する透かし生成手段を更に有し、
前記暗号キー送信手段は、暗号キーに加えて前記透かし生成手段で生成した透かしデータを送信し、
前記デジタルカメラは、前記第１の通信手段を介して受信した前記透かしデータと前記画像撮影手段により撮影された画像を合成する透かし合成手段を更に有し、
前記画像記憶手段は、前記暗号キーにより前記透かし合成手段により透かしデータが合成された画像を暗号化する、
ことを特徴とする請求項１５記載の撮影管理システム。
【請求項１７】
サーバ装置と無線で情報を送受信するデジタルカメラの撮影管理方法であって、
画像を撮影し、
該撮影した画像から縮小画像を生成し、
前記撮影した画像を特定するための画像ＩＤを生成し、
前記生成した縮小画像と前記生成した画像ＩＤとを関連付けて画像メモリに記憶し、
前記生成した画像ＩＤと、カメラＩＤメモリに記憶されている当該カメラ又は当該カメラの使用者を特定するためのカメラＩＤとを含む暗号キー要求を、前記サーバ装置宛に送信し、
前記暗号キー要求に応じて前記サーバ装置から送信された暗号キーを受信し、
前記撮影した画像を受信した暗号キーで暗号化し、
前記暗号化された画像と、当該暗号化された画像の縮小画像および画像ＩＤとを関連付けて画像メモリに記憶し、
前記画像メモリに記憶された画像ＩＤと前記カメラＩＤメモリに記憶されているカメラＩＤとを前記サーバ装置に送信し、
使用者の操作により前記画像メモリに記憶されている縮小画像の中から選択された縮小画像に関連付けされている画像ＩＤと、前記カメラＩＤメモリに記憶されているカメラＩＤとを含む復号キー要求を前記サーバ装置に送信し、
前記復号キー要求に応じて前記サーバ装置から送信された復号キーを受信し、
当該受信した復号キーにより、前記選択された縮小画像に関連付けされている画像ＩＤに対応する暗号化された画像を復号化して、前記画像メモリに記憶する、
ことを特徴とする撮影管理方法。
【請求項１８】
前記暗号キー要求に応じて、前記サーバ装置から前記暗号キーと共に電子透かしを受信し、
前記撮影した画像に、前記受信した電子透かしを合成し、
前記電子透かしを合成した画像を、前記暗号キーを用いて暗号化し、
前記暗号化された、前記電子透かしを合成した画像と、当該暗号化された画像の縮小画像および画像ＩＤとを関連付けて前記画像メモリに記憶し、
前記サーバ装置から受信した復号キーを用いて、前記画像メモリに記憶されている、前記暗号化した、前記電子透かしを合成した画像を、復号化し、
該復号化した、前記電子透かしを合成した画像を、前記画像メモリに記憶する、
ことを特徴とする請求項１７に記載の撮影管理方法。
【請求項１９】
前記カメラＩＤメモリに記憶されるカメラＩＤは、前記サーバ装置が発行したものである、
ことを特徴とする請求項１８に記載の撮影管理方法。
【請求項２０】
無線で情報を送受信するデジタルカメラとサーバ装置を含むシステムにおける撮影管理方法であって、
前記デジタルカメラは、
画像を撮影し、
該撮影した画像から縮小画像を生成し、
前記撮影した画像を特定するための画像ＩＤを生成し、
前記生成した縮小画像と前記生成した画像ＩＤとを関連付けて画像メモリに記憶し、
前記生成した画像ＩＤと、カメラＩＤメモリに記憶されている当該カメラ又は当該カメラの使用者を特定するためのカメラＩＤとを含む暗号キー要求を、前記サーバ装置宛に送信し、
前記サーバ装置は、
前記デジタルカメラから送信された暗号キー要求を受信し、
暗号キーおよび復号キーを生成し、
前記生成された暗号キーを前記デジタルカメラに送信し、
前記デジタルカメラは、
前記サーバ装置から送信された暗号キーを受信し、
前記撮影した画像を受信した暗号キーで暗号化し、
前記暗号化された画像と、当該暗号化された画像の縮小画像および画像ＩＤとを関連付けて画像メモリーに記憶し、
前記画像メモリに記憶された前記画像ＩＤと前記カメラＩＤメモリに記憶されているカメラＩＤとを前記サーバ装置に送信し、
前記サーバ装置は、
前記デジタルカメラから送信された前記画像ＩＤとカメラＩＤと前記復号キーとを記憶手段に記憶し、
前記デジタルカメラは、
使用者の操作により前記画像メモリに記憶されている縮小画像の中から選択された縮小画像に関連付けされている画像ＩＤと、前記カメラＩＤメモリに記憶されているカメラＩＤとを含む復号キー要求を前記サーバ装置に送信し、
前記サーバ装置は、
前記デジタルカメラから送信された復号キー要求を受信し、
前記暗号キー要求に含まれた前記画像ＩＤと前記カメラＩＤにより特定された、前記記憶手段に記憶された復号キーを読み出して前記デジタルカメラに送信し、
前記デジタルカメラは、
前記サーバ装置から送信された復号キーを受信し、
当該受信した復号キーにより、前記選択された縮小画像に関連付けされている画像ＩＤに対応する暗号化された画像を復号化して、前記画像メモリに記憶する、
ことを特徴とする撮影管理方法。
【請求項２１】
前記サーバ装置は、
前記暗号キーおよび復号キーを生成すると同時に電子透かしを生成し、
前記生成された暗号キーおよび電子透かしを前記デジタルカメラに送信し、
前記デジタルカメラは、
前記サーバ装置から送信された前記暗号キーおよび電子透かしを受信し、
前記撮影した画像に前記受信した電子透かしを合成した後、前記受信した暗号キーで暗号化する、
ことを特徴とする請求項２０に記載の撮影管理方法。
【発明の詳細な説明】
【技術分野】
【０００１】
本発明は、コンサート会場等のように撮影制限が必要とされるところにおいて、撮影を制限しつつ利用者に一定条件の下で撮影画像の提供を可能とするための装置及び方法に関する。
【背景技術】
【０００２】
従来コンサート会場等においては一般に主催者側から来場者に対し撮影の禁止が求められているが、来場者、特に熱烈なファンとしてはコンサートの写真は是非欲しいものである。そのため、来場者の中には、撮影が禁止されているにもかかわらず、それを無視して撮影する者もいた。
【０００３】
一方、特許文献１には、電子機器の利用規制が求められている環境下に設置される利用制限信号発信器が特定の電子機器に対し利用制限信号を発信すると、それを受信した電子機器では電源が切れる等の機能制限が実施されるといった電子機器制御システムが提案されている。この提案によれば、例えば前述のコンサート会場等において、電子機器であるカメラの撮影機能を制限し、撮影を禁止するようにすることも可能である。
【特許文献１】特開２０００−３３３２６６号公報
【発明の開示】
【発明が解決しようとする課題】
【０００４】
しかしながら、特許文献１のシステムは、電子機器の利用を制限することのみを目的としたものであるから、例えば前述のコンサート会場等においては、主催者側のメリットは十分に考慮されているものの、来場者側のメリットは何も考慮されていないことになる。
本発明は、上記実情に鑑み、撮影制限が必要とされるところにおいて、撮影を制限しつつ利用者に有料を含む一定条件の下で撮影画像の提供を可能とする、デジタルカメラ、撮影管理システム、及び撮影管理方法を提供することを目的とする。
【課題を解決するための手段】
【０００５】
上記目的を達成するため、本発明の第１の態様に係るデジタルカメラは、サーバ装置と無線により情報を送受信するデジタルカメラであって、画像を撮影する画像撮影手段と、該画像撮影手段により撮影された画像から縮小画像を生成する縮小画像生成手段と、画像が記憶される画像メモリと、当該デジタルカメラ又は該デジタルカメラの利用者を特定するために、前記サーバ装置で生成されたカメラＩＤが記憶されるカメラＩＤメモリと、前記画像撮影手段により撮影された画像を特定するための画像ＩＤを生成する画像ＩＤ生成手段と、前記画像撮影手段により撮影された画像と、前記カメラＩＤメモリから読み出されたカメラＩＤと、前記画像ＩＤ生成手段により生成された当該画像を特定する画像ＩＤとを、通信手段により前記サーバ装置に送信する画像送信手段と、前記縮小画像生成手段により生成された前記画像の縮小画像と前記画像の画像ＩＤとを関連付けて前記画像メモリに記憶する縮小画像記憶手段と、使用者の操作により、前記画像メモリに記憶された縮小画像を選択する縮小画像選択手段と、前記縮小画像選択手段により選択された縮小画像に関連付けられた画像ＩＤと、前記カメラＩＤメモリから読み出されたカメラＩＤとを含む画像要求を、前記サーバ装置に送信する画像要求送信手段と、前記画像要求に応じて前記サーバ装置から送信された前記画像ＩＤで特定される画像を受信する画像受信手段と、前記画像受信手段により受信された画像を前記画像メモリに記憶する画像記憶手段と、を有し、前記画像撮影手段により撮影された画像は、前記サーバ装置から取得するまでは、前記画像メモリには記憶されない、ことを特徴とする。
【０００７】
本発明の第２の態様に係るデジタルカメラは、前述の第１の態様において、前記画像受信手段により受信された、前記画像ＩＤで特定される画像は、電子透かしが合成された画像である、ことを特徴とする。
【０００８】
本発明の第３の態様に係るデジタルカメラは、前述の第１又は２の態様において、使用者により入力された使用者情報を前記サーバ装置に送信し、該送信した使用者情報に応じて、前記サーバ装置から送信された前記カメラＩＤを受信して前記カメラＩＤメモリに記憶する、ことを特徴とする。
【０００９】
本発明の第４の態様に係る撮影管理システムは、無線により情報を送受信するデジタルカメラとサーバ装置を含む撮影管理システムであって、前記デジタルカメラは、画像を撮影する画像撮影手段と、該画像撮影手段により撮影された画像から縮小画像を生成する縮小画像生成手段と、画像が記憶される画像メモリと、当該デジタルカメラ又は該デジタルカメラの利用者を特定するために、前記サーバ装置で生成されたカメラＩＤが記憶されるカメラＩＤメモリと、前記画像撮影手段により撮影された画像を特定するための画像ＩＤを生成する画像ＩＤ生成手段と、前記画像撮影手段により撮影された画像と、前記カメラＩＤメモリから読み出されたカメラＩＤと、前記画像ＩＤ生成手段により生成された当該画像を特定する画像ＩＤとを、通信手段により前記サーバ装置に送信する画像送信手段と、前記縮小画像生成手段により生成された前記画像の縮小画像と前記画像の画像ＩＤとを関連付けて前記画像メモリに記憶する縮小画像記憶手段と、使用者の操作により、前記画像メモリに記憶された縮小画像を選択する縮小画像選択手段と、前記縮小画像選択手段により選択された縮小画像に関連付けられた画像ＩＤと、前記カメラＩＤメモリから読み出されたカメラＩＤとを含む画像要求を、前記サーバ装置に送信する画像要求送信手段と、前記画像要求に応じて前記サーバ装置から送信された前記画像ＩＤで特定される画像を受信する画像受信手段と、前記画像受信手段により受信された画像を前記画像メモリに記憶する画像記憶手段と、を有し、前記サーバ装置は、前記カメラＩＤを生成するカメラＩＤ生成手段と、該カメラＩＤ生成手段により生成されたカメラＩＤを基にデジタルカメラの管理に関連する情報が記憶される管理ＤＢと、該デジタルカメラが撮影した画像に関連する情報が記憶される画像情報ＤＢと、前記画像送信手段により前記デジタルカメラから送信された前記画像および前記カメラＩＤおよび前記画像ＩＤを受信する画像情報受信手段と、前記画像情報受信手段により受信された前記画像および前記カメラＩＤおよび前記画像ＩＤを前記画像情報ＤＢに記憶する画像情報記憶手段と、前記デジタルカメラから送信された前記画像要求を受信する画像要求受信手段と、前記カメラＩＤを認証する認証手段と、前記認証手段により前記カメラＩＤが認証された場合、前記画像要求受信手段により受信された前記画像要求に含まれる前記画像ＩＤにより特定される画像を前記画像情報ＤＢより読み出して、前記デジタルカメラに送信する第２の画像送信手段と、を有し、前記デジタルカメラにおいて、前記画像撮影手段により撮影された画像は、前記サーバ装置から取得するまでは、前記画像メモリには記憶されない、ことを特徴とする。
【００１０】
本発明の第５の態様に係る撮影管理システムは、前述の第４の態様において、前記サーバ装置は、電子透かしを生成する透かし生成手段と、前記透かし生成手段により生成された電子透かしを前記画像情報受信手段により受信された前記画像に合成する透かし合成手段と、を更に有することを特徴とする。
【００１１】
本発明の第６の態様に係る撮影管理システムは、前述の第４の態様において、前記デジタルカメラは、使用者により入力された使用者情報を前記サーバ装置に送信する使用者情報送信手段と、前記サーバ装置から送信された前記カメラＩＤを受信して前記カメラＩＤメモリに記憶するカメラＩＤ記憶手段と、を更に有し、前記サーバ装置は、前記デジタルカメラから送信された使用者情報を受信する使用者情報受信手段と、前記使用者情報受信手段により受信された使用者情報と前記カメラＩＤ生成手段により生成されたカメラＩＤとを関連付けて前記管理ＤＢに記憶する使用者情報記憶手段と、を更に有する、ことを特徴とする。
【００１３】
本発明の第７の態様に係る撮影管理システムは、前述の第４乃至６の何れか一つの態様において、前記デジタルカメラは、使用者の操作により、前記縮小画像選択手段により選択された縮小画像に関連付けられた画像ＩＤで特定される画像の印刷注文情報を入力する印刷注文情報入力手段と、前記画像ＩＤおよび当該画像ＩＤで特定される画像の印刷注文情報および前記カメラＩＤメモリから読み出されたカメラＩＤを含む印刷注文を前記サーバ装置に送信する印刷注文送信手段と、を更に有し、前記サーバ装置は、前記デジタルカメラから送信された印刷注文を受信する印刷注文受信手段と、前記印刷注文受信手段により受信された前記印刷注文に含まれる画像ＩＤで特定される画像を前記画像情報ＤＢより読み出して、前記印刷注文に含まれる印刷注文情報と共に所定の印刷装置に送信する印刷注文手段と、を更に有する、ことを特徴とする。
【００１４】
本発明の第８の態様に係る撮影管理方法は、無線により情報を送受信するデジタルカメラとサーバ装置を含むシステムにおける撮影管理方法であって、前記デジタルカメラは、画像を撮影し、該撮影した画像から縮小画像を生成し、前記撮影した画像を特定するための画像ＩＤを生成し、前記生成した縮小画像と前記生成した画像ＩＤとを関連付けて画像メモリに記憶し、前記撮影した画像と、前記生成した画像ＩＤと、カメラＩＤメモリに記憶されている当該デジタルカメラ又は該デジタルカメラの利用者を特定するためのカメラＩＤとを、前記サーバ装置に送信し、前記サーバ装置は、前記デジタルカメラから送信された前記画像および前記画像ＩＤおよび前記カメラＩＤを受信し、前記受信したカメラＩＤを認証し、前記カメラＩＤが認証された場合、前記画像および前記画像ＩＤおよび前記カメラＩＤを関連付けて画像情報ＤＢに記憶し、前記デジタルカメラは、前記画像メモリに記憶されている縮小画像の中から、使用者の操作により選択された縮小画像に関連付けされている画像ＩＤと、前記カメラＩＤメモリに記憶されているカメラＩＤとを含む画像要求を、前記サーバ装置に送信し、前記サーバ装置は、前記デジタルカメラから送信された画像要求を受信し、前記受信した画像要求に含まれるカメラＩＤを認証し、前記カメラＩＤが認証された場合、前記画像要求に含まれる画像ＩＤで特定される画像を前記画像情報ＤＢから読み出し、前記画像情報ＤＢから読み出した画像を前記デジタルカメラに送信し、前記デジタルカメラは、前記サーバ装置が送信した前記画像を受信し、前記受信した画像を、前記画像メモリに記憶することにより、前記デジタルカメラにおいて、撮影した画像は、前記サーバ装置から取得するまでは、前記画像メモリには記憶されない、ことを特徴とする。
【００１５】
本発明の第９の態様に係る撮影管理方法は、前述の第８の態様において、前記サーバ装置は、前記カメラＩＤが認証された場合、電子透かしを生成し、前記受信した前記デジタルカメラから送信された画像に、前記生成した電子透かしを合成し、該電子透かしを合成した画像と、前記カメラＩＤ及び画像ＩＤとを、関連付けて画像情報ＤＢに記憶し、前記画像要求を受信したときには、該カメラＩＤと画像ＩＤとに関連付けされている画像を前記画像情報ＤＢから読み出し、該読み出した画像を前記デジタルカメラに送信する、ことを特徴とする。
【００１６】
本発明の第１０の態様に係る撮影管理方法は、前述の第８の態様において、前記デジタルカメラは、前記使用者の操作により選択された縮小画像に関連付けられた画像ＩＤで特定される画像についての印刷注文情報を入力し、前記画像ＩＤおよび当該画像ＩＤで特定される画像の印刷注文情報および前記カメラＩＤメモリから読み出されたカメラＩＤを含む印刷注文を前記サーバ装置に送信し、前記サーバ装置は、前記デジタルカメラから送信された印刷注文を受信し、前記受信した前記印刷注文に含まれる画像ＩＤで特定される画像を前記画像情報ＤＢより読み出して、前記印刷注文に含まれる印刷注文情報と共に所定の印刷装置に送信する、ことを特徴とする。
本発明の第１１の態様に係る撮影管理方法は、前述の第１０の態様において、前記サーバ装置は、カメラＩＤと画像ＩＤと印刷注文情報とを含む印刷要求を受信したときには、該印刷要求に含まれる前記カメラＩＤと画像ＩＤとに関連付けされている画像を前記画像情報ＤＢから読み出し、該読み出した画像と印刷注文情報とを前記印刷装置に送信し、前記印刷注文情報に応じて印刷料金を計算し、前記カメラＩＤにより特定される利用者の決済口座から前記印刷料金を引き落とす処理を行い、前記印刷料金を前記利用者の決済口座から引き落としたことを通知する領収書情報を生成し、該生成した領収書情報を前記デジタルカメラに送信する、ことを特徴とする。
本発明の第１２の態様に係るデジタルカメラは、画像を撮影する画像撮影手段と、該画像撮影手段により撮影された画像から縮小画像を生成する縮小画像生成手段と、画像が記憶される画像メモリと、当該デジタルカメラ又は該デジタルカメラの利用者を特定するためのカメラＩＤが記憶されるカメラＩＤメモリと、前記画像撮影手段により撮影された画像を特定するための画像ＩＤを生成する画像ＩＤ生成手段と、無線によりサーバ装置と情報の送受信を行う通信手段と、画像を撮影したときに前記通信手段を介して前記サーバ装置に暗号キーを要求する暗号キー要求手段と、前記暗号キー要求に応じて前記サーバ装置から送信された暗号キーを前記通信手段を介して受信する暗号キー受信手段と、前記暗号キー受信手段により受信された暗号キーにより前記画像撮影手段により撮影された画像を暗号化する画像暗号化手段と、前記画像暗号化手段により暗号化された画像と、当該暗号化された画像の縮小画像および画像ＩＤとを関連付けて前記画像メモリに記憶する画像記憶手段と、前記画像記憶手段により前記画像メモリに記憶された前記暗号化した画像に関連付けられた画像ＩＤと前記カメラＩＤメモリから読み出したカメラＩＤとを前記通信手段を介して前記サーバ装置に送信する画像情報送信手段と、使用者の操作により前記画像メモリに記憶された前記縮小画像を選択する縮小画像選択手段と、前記縮小画像選択手段により選択された縮小画像に関連付けられた画像ＩＤと前記カメラＩＤメモリから読み出したカメラＩＤとを含む復号キー要求を前記通信手段を介して前記サーバ装置に送信する復号キー要求送信手段と、前記復号キー要求に応じて、前記サーバ装置から送信された復号キーを前記通信手段を介して受信する復号キー受信手段と、前記復号キー受信手段により受信された復号キーで前記縮小画像選択手段により選択された縮小画像に関連付けられた暗号化された画像を復号化する画像復号手段と、を有することを特徴とする。
本発明の第１３の態様に係るデジタルカメラは、前述の第１２の態様において、画像に電子透かしを合成する透かし合成手段を更に有し、前記暗号キー受信手段は、前記サーバ装置から前記暗号キーと共に送信された透かしデータを受信し、前記透かし合成手段は、前記画像撮影手段により撮影された画像と、前記受信した透かしデータを合成し、前記画像記憶手段は、前記暗号キーにより前記透かし合成手段により透かしデータが合成された画像を暗号化する、ことを特徴とする。
本発明の第１４の態様に係るデジタルカメラは、前述の第１２又は１３の態様において、前記カメラＩＤメモリに記憶されるカメラＩＤは、前記サーバ装置が発行したものである、ことを特徴とする。
本発明の第１５の態様に係る撮影管理システムは、デジタルカメラとサーバ装置を含む撮影管理システムであって、前記デジタルカメラは、画像を撮影する画像撮影手段と、該画像撮影手段により撮影された画像から縮小画像を生成する縮小画像生成手段と、画像が記憶される画像メモリと、当該デジタルカメラ又は該デジタルカメラの利用者を特定するためのカメラＩＤが記憶されるカメラＩＤメモリと、前記画像撮影手段により撮影された画像を特定するための画像ＩＤを生成する画像ＩＤ生成手段と、無線によりサーバ装置と情報の送受信を行う第１の通信手段と、前記第１の通信手段を介して前記サーバ装置に暗号キーを要求する暗号キー要求手段と、前記暗号キー要求に応じて前記サーバ装置から送信された暗号キーを前記第１の通信手段を介して受信する暗号キー受信手段と、前記暗号キー受信手段により受信された暗号キーにより前記画像撮影手段により撮影された画像を暗号化する画像暗号化手段と、前記画像暗号化手段により暗号化された画像と、当該暗号化された画像の縮小画像および画像ＩＤとを関連付けて前記画像メモリに記憶する画像記憶手段と、前記画像記憶手段により前記画像メモリに記憶した前記暗号化した画像に関連付けられた画像ＩＤと前記カメラＩＤメモリから読み出したカメラＩＤとを前記第１の通信手段を介して前記サーバ装置に送信する画像情報送信手段と、使用者の操作により前記画像メモリに記憶された前記縮小画像を選択する縮小画像選択手段と、前記縮小画像選択手段により選択された縮小画像に関連付けられた画像ＩＤと前記カメラＩＤメモリから読み出したカメラＩＤとを含む復号キー要求を前記第１の通信手段を介して前記サーバ装置に送信する復号キー要求送信手段と、前記復号キー要求に応じて、前記サーバ装置から送信された復号キーを前記第１の通信手段を介して受信する復号キー受信手段と、前記復号キー受信手段により受信された復号キーで前記縮小画像選択手段により選択された縮小画像に関連付けられた暗号化された画像を復号化する画像復号手段と、を有し、前記サーバ装置は、無線により前記デジタルカメラと情報の送受信を行う第２の通信手段と、前記カメラＩＤを生成するカメラＩＤ生成手段と、該カメラＩＤ生成手段により生成されたカメラＩＤを基にデジタルカメラの管理に関連する情報が記憶される管理ＤＢと、該デジタルカメラが撮影した画像に関連する情報が記憶される画像情報ＤＢと、前記第２の通信手段を介して受信した前記暗号キー要求に応じて、暗号キーおよび復号キーを生成する暗号キー生成手段と、前記暗号キー生成手段により生成された前記暗号キーを前記第２の通信手段を介して、前記暗号キー要求を送信した前記デジタルカメラに送信する暗号キー送信手段と、前記第２の通信手段を介して受信した前記デジタルカメラのカメラＩＤと前記暗号キー送信手段により送信された暗号キーにより前記デジタルカメラで暗号化された画像の画像ＩＤと前記暗号キー生成手段により生成された復号キーとを関連付けて前記画像情報ＤＢに記憶する画像情報記憶手段と、前記第２の通信手段を介して受信した、前記カメラＩＤおよび画像ＩＤを含む複合キー要求に応じて、前記カメラＩＤおよび画像ＩＤに関連付けられた復号キーを前記画像情報ＤＢから読み出し、該復号キーを前記第２の通信手段を介して送信する復号キー送信手段と、を有する、ことを特徴とする。
本発明の第１６の態様に係る撮影管理システムは、前述の第１５の態様において、前記サーバ装置は、透かしデータを生成する透かし生成手段を更に有し、前記暗号キー送信手段は、暗号キーに加えて前記透かし生成手段で生成した透かしデータを送信し、前記デジタルカメラは、前記第１の通信手段を介して受信した前記透かしデータと前記画像撮影手段により撮影された画像を合成する透かし合成手段を更に有し、前記画像記憶手段は、前記暗号キーにより前記透かし合成手段により透かしデータが合成された画像を暗号化する、ことを特徴とする。
本発明の第１７の態様に係る撮影管理方法は、サーバ装置と無線で情報を送受信するデジタルカメラの撮影管理方法であって、画像を撮影し、該撮影した画像から縮小画像を生成し、前記撮影した画像を特定するための画像ＩＤを生成し、前記生成した縮小画像と前記生成した画像ＩＤとを関連付けて画像メモリに記憶し、前記生成した画像ＩＤと、カメラＩＤメモリに記憶されている当該カメラ又は当該カメラの使用者を特定するためのカメラＩＤとを含む暗号キー要求を、前記サーバ装置宛に送信し、前記暗号キー要求に応じて前記サーバ装置から送信された暗号キーを受信し、前記撮影した画像を受信した暗号キーで暗号化し、前記暗号化された画像と、当該暗号化された画像の縮小画像および画像ＩＤとを関連付けて画像メモリに記憶し、前記画像メモリに記憶された画像ＩＤと前記カメラＩＤメモリに記憶されているカメラＩＤとを前記サーバ装置に送信し、使用者の操作により前記画像メモリに記憶されている縮小画像の中から選択された縮小画像に関連付けされている画像ＩＤと、前記カメラＩＤメモリに記憶されているカメラＩＤとを含む復号キー要求を前記サーバ装置に送信し、前記復号キー要求に応じて前記サーバ装置から送信された復号キーを受信し、当該受信した復号キーにより、前記選択された縮小画像に関連付けされている画像ＩＤに対応する暗号化された画像を復号化して、前記画像メモリに記憶する、ことを特徴とする。
本発明の第１８の態様に係る撮影管理方法は、前述の第１７の態様において、前記暗号キー要求に応じて、前記サーバ装置から前記暗号キーと共に電子透かしを受信し、前記撮影した画像に、前記受信した電子透かしを合成し、前記電子透かしを合成した画像を、前記暗号キーを用いて暗号化し、前記暗号化された、前記電子透かしを合成した画像と、当該暗号化された画像の縮小画像および画像ＩＤとを関連付けて前記画像メモリに記憶し、前記サーバ装置から受信した復号キーを用いて、前記画像メモリに記憶されている、前記暗号化した、前記電子透かしを合成した画像を、復号化し、該復号化した、前記電子透かしを合成した画像を、前記画像メモリに記憶する、ことを特徴とする。
本発明の第１９の態様に係る撮影管理方法は、前述の第１８の態様において、前記カメラＩＤメモリに記憶されるカメラＩＤは、前記サーバ装置が発行したものである、ことを特徴とする。
本発明の第２０の態様に係る撮影管理方法は、無線で情報を送受信するデジタルカメラとサーバ装置を含むシステムにおける撮影管理方法であって、前記デジタルカメラは、画像を撮影し、該撮影した画像から縮小画像を生成し、前記撮影した画像を特定するための画像ＩＤを生成し、前記生成した縮小画像と前記生成した画像ＩＤとを関連付けて画像メモリに記憶し、前記生成した画像ＩＤと、カメラＩＤメモリに記憶されている当該カメラ又は当該カメラの使用者を特定するためのカメラＩＤとを含む暗号キー要求を、前記サーバ装置宛に送信し、前記サーバ装置は、前記デジタルカメラから送信された暗号キー要求を受信し、暗号キーおよび復号キーを生成し、前記生成された暗号キーを前記デジタルカメラに送信し、前記デジタルカメラは、前記サーバ装置から送信された暗号キーを受信し、前記撮影した画像を受信した暗号キーで暗号化し、前記暗号化された画像と、当該暗号化された画像の縮小画像および画像ＩＤとを関連付けて画像メモリーに記憶し、前記画像メモリに記憶された前記画像ＩＤと前記カメラＩＤメモリに記憶されているカメラＩＤとを前記サーバ装置に送信し、前記サーバ装置は、前記デジタルカメラから送信された前記画像ＩＤとカメラＩＤと前記復号キーとを記憶手段に記憶し、前記デジタルカメラは、使用者の操作により前記画像メモリに記憶されている縮小画像の中から選択された縮小画像に関連付けされている画像ＩＤと、前記カメラＩＤメモリに記憶されているカメラＩＤとを含む復号キー要求を前記サーバ装置に送信し、前記サーバ装置は、前記デジタルカメラから送信された復号キー要求を受信し、前記暗号キー要求に含まれた前記画像ＩＤと前記カメラＩＤにより特定された、前記記憶手段に記憶された復号キーを読み出して前記デジタルカメラに送信し、前記デジタルカメラは、前記サーバ装置から送信された復号キーを受信し、当該受信した復号キーにより、前記選択された縮小画像に関連付けされている画像ＩＤに対応する暗号化された画像を復号化して、前記画像メモリに記憶する、ことを特徴とする。
本発明の第２１の態様に係る撮影管理方法は、前述の第２０の態様において、前記サーバ装置は、前記暗号キーおよび復号キーを生成すると同時に電子透かしを生成し、前記生成された暗号キーおよび電子透かしを前記デジタルカメラに送信し、前記デジタルカメラは、前記サーバ装置から送信された前記暗号キーおよび電子透かしを受信し、前記撮影した画像に前記受信した電子透かしを合成した後、前記受信した暗号キーで暗号化する、ことを特徴とする。
【発明の効果】
【００１７】
本発明によれば、コンサート会場等のように撮影制限が必要とされるところにおいて、撮影を制限しつつ利用者に一定条件の下で撮影画像を提供することが可能になる。
【発明を実施するための最良の形態】
【００１８】
以下、本発明の実施例を図面を参照しながら説明する。
【実施例１】
【００１９】
図１は、本発明の実施例１に係る撮影管理システムの構成を示すブロック図である。
同図に示したように、本システムは、デジタルカメラ１と情報管理サーバ装置である管理サーバ２とを有している。ここで、デジタルカメラ１は撮影制限の対象となる者に所持されるものあるいは貸与されたものであり、管理サーバ２は撮影制限が必要とされるところ等に設置されるものである。例えば、本システムを、撮影制限が必要とされるコンサート会場に適用した場合、デジタルカメラ１は来場者に所持され、管理サーバ２はコンサート会場等に設置される。
【００２０】
同図において、デジタルカメラ１は、当該デジタルカメラ１全体の動作を制御するためのコントロールプログラム（撮影管理プログラムも含む）が格納されているプログラムメモリ３と、そのコントロールプログラムを読み出し実行することにより当該デジタルカメラ１全体の動作を制御するコントローラ４と、当該デジタルカメラ１又は該デジタルカメラの利用者を特定するためのカメラＩＤが記憶されるカメラＩＤメモリ５と、情報の暗号化及び暗号化された情報の復号化を行う暗号／復号部６と、画像を撮影する手段であって被写体を撮像して原画像データを得る撮像部７と、撮像部７により得られた原画像データからインデックス用のサムネール画像（縮小画像）に係るサムネール画像データ（縮小画像データ）を生成する縮小画像生成部８と、画像データ等が記憶される画像メモリ９と、撮像部７により得られた原画像データに係る原画像や画像メモリ９に記憶されているサムネール画像データに係るサムネール画像等を表示する表示部１０と、表示部１０により表示されている画像を選択する機能を含む手段であって利用者からの各種の入力や指示等を受け付けそれをコントローラ４へ通知する操作部１１と、暗号キー及び復号キーを生成する暗号キー生成部１２と、撮像部７により得られた原画像に係る原画像データを特定するための画像ＩＤを生成する画像ＩＤ生成部１３と、無線により情報の送受信を行う通信部１４等を有する。
【００２１】
一方、管理サーバ２は、当該管理サーバ２全体の動作を制御するためのコントロールプログラム（撮影管理プログラムも含む）が格納されているプログラムメモリ１６と、そのコントロールプログラムを読み出し実行することにより当該管理サーバ２全体の動作を制御するコントローラ１７と、原画像（原画像データ）及び画像ＩＤ等が記憶される画像情報ＤＢ（データベース）１８と、管理ＩＤとしてカメラＩＤを生成する管理ＩＤ生成部１９と、情報の暗号化及び暗号化された情報の復号化を行う暗号／復号部２０と、管理ＩＤ生成部１９により生成されたカメラＩＤを基にデジタルカメラの管理に関連する情報が記憶される管理ＤＢ（データベース）２１と、暗号キー及び復号キーを生成する暗号キー生成部２２と、著作権保護を目的とした透かしデータ（電子透かし）を生成しその透かしデータを原画像データに合成する透かし合成部２３と、無線により情報の送受信を行う通信部２４等を有する。
【００２２】
図２は、上述した撮影管理システムの動作を示すゼネラルフローチャート、図３、図４、及び図５は、ゼネラルフローチャート中の各処理動作を示すフローチャートである。
図２に示したように、本システムでは、まず、利用者登録を行いカメラＩＤを取得する処理が行われる（ステップ（以下単に「Ｓ」という）１）。そして、撮影を行い原画像（原画像データ）を自動的に管理サーバ２へ送信する処理が行われ（Ｓ２）、利用者の選択により管理サーバ２より所望の原画像を取得する処理が行われる（Ｓ３）。
【００２３】
図３は、Ｓ１の処理内容を示すフローチャートである。
同図において、Ｓ６，Ｓ９乃至１２，及びＳ１８乃至１９はデジタルカメラ１の動作を示し、Ｓ７乃至８，及びＳ１３乃至１７は管理サーバ２の動作を示している。
まず、デジタルカメラ１において、当該デジタルカメラ１の通信アドレスを含む接続要求信号が通信部１４から管理サーバ２宛（管理サーバ２の通信アドレス宛）に送信される（Ｓ６）。
【００２４】
管理サーバ２では、通信部２４が接続要求信号を受信すると、暗号キー生成部２２により暗号キー及び復号キーが生成され（Ｓ７）、その暗号キーを含む利用者情報要求信号が通信部２４からデジタルカメラ１宛（接続要求信号に含まれる通信アドレス宛）に送信される（Ｓ８）。
【００２５】
デジタルカメラ１では、通信部１４が暗号キーを含む利用者情報要求信号を受信すると、操作部１１を介した利用者の入力に応じて利用者情報の入力が行われる（Ｓ９）。ここで、入力された利用者情報には、例えば、氏名、住所、電話番号、決済口座番号（クレジットカード番号等）などの、当該デジタルカメラ１の利用者に関する情報や、デジタルカメラの通信アドレスなどの情報が含まれる。続いて、Ｓ９で入力された利用者情報が暗号／復号部６により暗号化される（Ｓ１０）。尚、この暗号化は、管理サーバ２から取得した暗号キーを用いて行われる。続いて、暗号キー生成部１２により暗号キー及び復号キーが生成され（Ｓ１１）、Ｓ１０で暗号化された利用者情報とＳ１１で生成された暗号キーとが通信部１４から管理サーバ２宛に送信される（Ｓ１２）。
【００２６】
管理サーバ２では、通信部２４が、暗号化された利用者情報と暗号キーとを受信すると、その暗号化された利用者情報が暗号／復号部２０により復号化される（Ｓ１３）。尚、この復号化は、Ｓ８で生成された復号キーを用いて行われる。続いて、Ｓ１３で復号化された利用者情報が管理ＤＢ２１に登録（記憶）され（Ｓ１４）、管理ＩＤ生成部１９によりカメラＩＤが発行（生成）される（Ｓ１５）。発行されたカメラＩＤは、暗号／復号部２０により暗号化される（Ｓ１６）と共に、Ｓ１４で登録された利用者情報と関連付けされて管理ＤＢ２１に登録される。尚、Ｓ１６での暗号化は、デジタルカメラ１から取得した暗号キーを用いて行われる。続いて、Ｓ１６で暗号化されたカメラＩＤが、通信部２４からデジタルカメラ１宛に送信される（Ｓ１７）。
【００２７】
デジタルカメラ１では、通信部１４が、暗号化されたカメラＩＤを受信すると、その暗号化されたカメラＩＤが暗号／復号部６により復号化され（Ｓ１８）、その復号化されたカメラＩＤがカメラＩＤメモリ５に記憶される（Ｓ１９）。尚、Ｓ１８での復号化は、Ｓ１１で生成された復号キーを用いて行われる。
【００２８】
なお、Ｓ１５で生成されるカメラＩＤは、デジタルカメラ１本体を特定する情報でも、あるいはデジタルカメラ１の利用者を特定する情報でも良い。デジタルカメラ１の利用者を特定する情報の場合は、管理サーバ２ではデジタルカメラ１を特定する必要が生じた場合には、管理ＤＢ２１に記憶されている利用者情報に含まれるデジタルカメラの通信アドレスなどのデジタルカメラ１を特定する情報を基に、利用者を特定する情報からデジタルカメラ１を特定する処理が実行される。
【００２９】
カメラＩＤがデジタルカメラ１本体を特定する情報の場合には、同一の利用者が複数のデジタルカメラ１を使用して撮影した画像を管理サーバ２で一元的に管理することが容易にできるので、後述の実施例２で説明するデジタルカメラで撮影した画像を印刷するような場合には好適である。
【００３０】
以上の図３に示した処理により、管理サーバ２に利用者情報の登録が行われると、カメラＩＤが発行され、そのカメラＩＤがデジタルカメラ１のカメラＩＤメモリ５に記憶されるようになる。
尚、図２に示したフローにおいて、Ｓ１の処理は図３に示したフローに限らず、例えば、インターネットを介して行うようにすることも可能である。この場合は、管理サーバ２がインターネットに接続され、利用者が、ＰＣ（パーソナルコンピュータ）等を利用してインターネットに接続し、管理サーバ２へアクセスして利用者情報（デジタルカメラ１の通信アドレスも含む）を登録し、そこで管理サーバ２からカメラＩＤを取得し、その取得したカメラＩＤをデジタルカメラ１のカメラＩＤメモリ５にダウンロードするようにすれば良い。
【００３１】
図４は、前述のＳ２の処理内容を示すフローチャートである。
同図において、Ｓ２１乃至２６，Ｓ２９乃至３０，及びＳ３６乃至３７はデジタルカメラ１の動作を示し、Ｓ２７乃至２８，Ｓ３１乃至３５は管理サーバ２の動作を示している。
【００３２】
まず、デジタルカメラ１において、利用者によるシャッターボタン（操作部１１に含まれるボタン）の押下が検出されると（Ｓ２１）、撮像部７により画像の撮影が行われ原画像データが得られる（Ｓ２２）。続いて、得られた原画像データを基に、縮小画像生成部８によりサムネール画像に係るサムネール画像データが生成され（Ｓ２３）、続いて、画像ＩＤ生成部１３により画像ＩＤが生成され（Ｓ２４）、Ｓ２３で生成されたサムネール画像データとＳ２４で生成された画像ＩＤとが関連付けされて画像メモリ９に保存（記憶）される（Ｓ２５）。そして、暗号キー要求信号が通信部１４から管理サーバ２宛に送信される（Ｓ２６）。
【００３３】
管理サーバ２では、通信部２４が、暗号キー要求信号を受信すると、暗号キー生成部２２により暗号キー及び復号キーが生成され（Ｓ２７）、生成された暗号キーが通信部２４からデジタルカメラ１宛に送信される（Ｓ２８）。
デジタルカメラ１では、通信部１４が暗号キーを受信すると、Ｓ２２で得られた原画像データとＳ２４で生成された画像ＩＤとカメラＩＤメモリ５に記憶されているカメラＩＤとが暗号／復号部６により暗号化される（Ｓ２９）。尚、この暗号化は、管理サーバ２から取得した暗号キーを用いて行われる。続いて、Ｓ２９で暗号化された原画像データと画像ＩＤとカメラＩＤとが、通信部１４から管理サーバ２宛に送信される（Ｓ３０）。
【００３４】
管理サーバ２では、通信部２４が、暗号化された原画像データと画像ＩＤとカメラＩＤとを受信すると、その原画像データと画像ＩＤとカメラＩＤとが暗号／復号部２０により復号化される（Ｓ３１）。尚、この復号化は、Ｓ２７で生成された復号キーを用いて行われる。そして、Ｓ３１で復号化されたカメラＩＤの認証が行われる（Ｓ３２）。ここでは、カメラＩＤの認証として、復号化されたカメラＩＤに関連付けされている利用者情報が管理ＤＢ２１に登録されているか否かの判定が行われ、登録されていると判定された場合には、カメラＩＤが正当なものであるとしてＳ３３以降の処理が行われるが、登録されていると判定されなかった場合には、カメラＩＤが不正なものであるとしてＳ３３以降の処理は行われない。
【００３５】
Ｓ３２において、Ｓ３１で復号化されたカメラＩＤに関連付けされている利用者情報が管理ＤＢ２１に登録されていた場合には、続いて、透かし合成部２３により透かしデータが生成され、その透かしデータがＳ３１で復号化された原画像データに合成され（Ｓ３３）、透かしデータが合成された原画像データとＳ３１で復号化された画像ＩＤとＳ３１で復号化されたカメラＩＤとが関連付けされて画像情報ＤＢ１８に保存される（Ｓ３４）。続いて、原画像の保存先アドレスを画像保存結果として通信部２４からデジタルカメラ１宛に送信される（Ｓ３５）。
【００３６】
デジタルカメラ１では、通信部１４が画像保存結果を受信すると、画像保存先アドレスを画像ＩＤと関連付けて画像メモリに記憶し（Ｓ３６）、利用者に対し撮影完了通知が行われる（Ｓ３７）。この撮影完了通知は、例えば、表示部１０にその旨の表示を行うこと等により行われる。
【００３７】
以上Ｓ２１からＳ３７の処理が、デジタルカメラ１のシャッターを操作するたびに繰り返される。
以上の図４に示した処理により、撮影が行われると、撮影した画像に係るサムネール画像データはデジタルカメラ１の画像メモリ９に保存されるが、撮影した画像に係る原画像データは管理サーバ２の画像情報ＤＢ１８に保存されるようになる。
【００３８】
図５は、前述のＳ３の処理内容を示すフローチャートである。
同図において、Ｓ４１乃至４４，Ｓ４７乃至４９，及びＳ５６乃至５７はデジタルカメラ１の動作を示し、Ｓ４５乃至Ｓ４６，及びＳ５０乃至５５は管理サーバ２の動作を示している。
【００３９】
まず、デジタルカメラ１において、画像メモリ９に記憶されているサムネール画像データに係るサムネール画像が表示部１０に表示され（Ｓ４１）、その中から、操作部１１を介した利用者の指示に応じて所望のサムネール画像が選択されると（Ｓ４２）、接続要求信号が通信部１４から管理サーバ２の画像保存先アドレス宛に送信される（Ｓ４３）。そして、暗号キー生成部１２により暗号キー及び復号キーが生成される（Ｓ４４）。
【００４０】
一方、管理サーバ２では、通信部２４が接続要求信号を受信すると、暗号キー生成部２２により暗号キー及び復号キーが生成され（Ｓ４５）、その暗号キーが通信部２４からデジタルカメラ１宛に送信される（Ｓ４６）。
デジタルカメラ１では、通信部１４が暗号キーを受信すると、カメラＩＤメモリ５に記憶されているカメラＩＤが暗号／復号部６により暗号化される（Ｓ４７）。尚、この暗号化は、管理サーバ２から取得した暗号キーを用いて行われる。続いて、Ｓ４２で選択されたサムネール画像に係るサムネール画像データに関連付けされている画像ＩＤが暗号／復号部６により暗号化される（Ｓ４８）。尚、この暗号化は、管理サーバ２から取得した暗号キーを用いて行われる。続いて、Ｓ４７で暗号化されたカメラＩＤとＳ４８で暗号化された画像ＩＤとＳ４４で生成された暗号キーとが、通信部１４から管理サーバ２宛に送信される（Ｓ４９）。
【００４１】
管理サーバ２では、通信部２４が、暗号化されたカメラＩＤ及び画像ＩＤと暗号キーとを受信すると、そのカメラＩＤが暗号／復号部２０により復号化される（Ｓ５０）。尚、この復号化は、Ｓ４５で生成された復号キーを用いて行われる。続いて、Ｓ５０で復号化されたカメラＩＤの認証が行われる（Ｓ５１）。ここでは、カメラＩＤの認証として、復号化されたカメラＩＤに関連付けされている利用者情報が管理ＤＢ２１に登録されているか否かの判定が行われ、登録されていると判定された場合には、カメラＩＤが正当なものであるとしてＳ５２以降の処理が行われるが、登録されていると判定されなかった場合には、カメラＩＤが不正なものであるとしてＳ５２以降の処理は行われない。
【００４２】
Ｓ５１において、Ｓ５０で復号化されたカメラＩＤに関連付けされている利用者情報が管理ＤＢ２１に登録されていた場合には、続いて、受信した画像ＩＤが暗号／復号部２０により復号化される（Ｓ５２）。尚、この復号化は、Ｓ４５で生成された復号キーを用いて行われる。続いて、復号化されたカメラＩＤと画像ＩＤとに関連付けされている原画像データが画像情報ＤＢ１８から読み出され（Ｓ５３）、その原画像データが暗号／復号部２０により暗号化される（Ｓ５４）。尚、この暗号化は、デジタルカメラ１から取得した暗号キーを用いて行われる。続いて、暗号化された原画像データが通信部２４からデジタルカメラ１宛に送信される（Ｓ５５）。
【００４３】
デジタルカメラ１では、通信部１４が、暗号化された原画像データを受信すると、その暗号化された原画像データが暗号／復号部６により復号化され（Ｓ５６）、その復号化された原画像データが画像メモリ９に保存される（Ｓ５７）。尚、Ｓ５６での復号化は、Ｓ４４で生成された復号キーを用いて行われる。
【００４４】
以上の図５に示した処理により、表示されているサムネール画像の中から所望のサムネール画像が選択されると、そのサムネール画像の原画像に係る原画像データが管理サーバ２から取得され、画像メモリ９に保存されるようになる。
以上、本実施例によれば、利用者登録を行ってカメラＩＤを取得した者のみに対して、必要に応じて撮影した画像の原画像が提供されるようになるので、コンサート会場等のように撮影制限が必要とされるところにおいて、撮影を制限しつつ一定条件の下に撮影した画像を提供することが可能になる。例えば、枚数制限がされているような場合、数多く撮影した画像の中から利用者の最も気に入った画像を取得することが可能になる。
【００４５】
尚、本実施例において、例えば、撮影制限を要求する者が、撮影制限の対象となる者に対し前述のデジタルカメラ１をレンタルして使用させるようにすることも可能である。この場合、撮影制限の対象となる者は、デジタルカメラ１をレンタルする際に、利用者情報の登録を行うようにすれば良い。但し、この場合は、レンタルするデジタルカメラ１のカメラＩＤメモリ５には、予めカメラＩＤが記憶され、登録された利用者情報にはそのデジタルカメラ１の通信アドレスが含められ、その通信アドレスを含む利用者情報が、そのデジタルカメラ１のカメラＩＤと関連付けされて、管理サーバ２の管理ＤＢ２１に登録される。
【００４６】
また、Ｓ５５において、暗号化された原画像データを利用者が指定した送付先アドレスに送信するようにしてもよい。この場合、デジタルカメラ１には、送信結果の情報を送信し、Ｓ５７では、その送信結果情報を保存し表示する。なお、原画像データの送付先アドレスは、Ｓ９の利用者情報入力のステップで指定する。
【００４７】
また、Ｓ３０乃至３１において、原画像と画像ＩＤとカメラＩＤとを暗号化しないでそのまま管理サーバ２へ送信するようにすることも可能である。この場合には、Ｓ２８乃至Ｓ２９において暗号キーと復号キーの生成及び暗号キーの送信は行われず、Ｓ３２において原画像と画像ＩＤとカメラＩＤの復号化は行われない。
【００４８】
また、Ｓ４７乃至４９において、カメラＩＤと画像ＩＤとを暗号化しないで、そのまま暗号キーと共に管理サーバ２へ送信するようにすることも可能である。この場合には、Ｓ４５乃至Ｓ４６において暗号キーと復号キーの生成及び暗号キーの送信は行われず、Ｓ５０及びＳ５２において、カメラＩＤの復号化及び画像ＩＤの復号化は行われない。
【実施例２】
【００４９】
本実施例は、撮影した画像を、原画像データとしてではなく、印刷画像として提供するようにしたものである。
図６は、本発明の実施例２に係る撮影管理システムの構成を示すブロック図である。
同図に示したように、本システムは、管理サーバ２が、印刷業者（印刷ラボ）の印刷装置（不図示）との間で無線或いは有線により情報の送受信を行う通信部２６を更に有する点が実施例１に係るシステム（図１参照）と異なり、その他の構成は同じである。
【００５０】
図７は、本実施例に係る撮影管理システムの動作を示すゼネラルフローチャート、図８は、ゼネラルフローチャート中の一部の処理動作を示すフローチャートである。
図７に示したように、本実施例に係るシステムでは、まず、前述のＳ１及びＳ２（図２参照）と同様に、利用者登録を行いカメラＩＤを取得する処理（Ｓ６１）と、撮影を行い原画像（原画像データ）を自動的に管理サーバ２へ送信する処理（Ｓ６２）が行われた後、利用者の指示に従って管理サーバ２より所望の原画像を印刷注文するための処理が行われる（Ｓ６３）。
【００５１】
図８は、Ｓ６３の処理内容を示すフローチャートである。
同図において、Ｓ６６乃至７０，Ｓ７３乃至７５，及びＳ８７乃至８８はデジタルカメラ１の動作を示し、Ｓ７１乃至７２，及びＳ７６乃至８６は管理サーバ２の動作を示している。
【００５２】
まず、デジタルカメラ１において、画像メモリ９に記憶されているサムネール画像データに係るサムネール画像が表示部１０に表示され（Ｓ６６）、その中から、利用者の指示に応じて印刷対象とする所望のサムネール画像が選択されると（Ｓ６７）、操作部１１を介した利用者の入力に応じて印刷注文情報が生成される（Ｓ６８）。ここで、生成された印刷注文情報には、例えば、印刷サイズ、印刷枚数、印刷仕上げ等に関する情報が含まれる。続いて、当該デジタルカメラ１の通信アドレスを含む接続要求信号が通信部１４から管理サーバ２宛に送信され（Ｓ６９）、そして、暗号キー生成部１２により暗号キー及び復号キーが生成される（Ｓ７０）。
【００５３】
一方、管理サーバ２では、通信部２４が接続要求信号を受信すると、暗号キー生成部２２により暗号キー及び復号キーが生成され（Ｓ７１）、その暗号キーが通信部２４からデジタルカメラ１宛に送信される（Ｓ７２）。
デジタルカメラ１では、通信部１４が暗号キーを受信すると、カメラＩＤメモリ５に記憶されているカメラＩＤが暗号／復号部６により暗号化される（Ｓ７３）。尚、この暗号化は、管理サーバ２から取得した暗号キーを用いて行われる。続いて、Ｓ６７で選択されたサムネール画像に係るサムネール画像データに関連付けされている画像ＩＤとＳ６８で生成された印刷注文情報とが暗号／復号部６により暗号化される（Ｓ７４）。尚、この暗号化は、管理サーバ２から取得した暗号キーを用いて行われる。続いて、Ｓ７３で暗号化されたカメラＩＤと、Ｓ７４で暗号化された画像ＩＤ及び印刷注文情報と、Ｓ７０で生成された暗号キーとを含む印刷要求信号が、通信部１４から管理サーバ２宛に送信される（Ｓ７５）。
【００５４】
管理サーバ２では、通信部２４が、暗号化されたカメラＩＤと、暗号化された画像ＩＤ及び印刷注文情報と、暗号キーとを含む印刷要求信号を受信すると、その暗号化されたカメラＩＤが暗号／復号部２０により復号化される（Ｓ７６）。尚、この復号化は、Ｓ７１で生成された復号キーを用いて行われる。続いて、Ｓ７６で復号化されたカメラＩＤの認証が行われる（Ｓ７７）。ここでは、前述のＳ５１（図５参照）にて説明した手法と同様の手法により認証が行われる。Ｓ７７において、Ｓ７６で復号化されたカメラＩＤに関連付けされている利用者情報が管理ＤＢ２１に登録されていた場合には、続いて、暗号化された画像ＩＤ及び印刷注文情報が暗号／復号部２０により復号化される（Ｓ７８）。尚、この復号化は、Ｓ７１で生成された復号キーを用いて行われる。続いて、Ｓ７６で復号化されたカメラＩＤとＳ７８で復号化された画像ＩＤとに関連付けされている原画像データが画像情報ＤＢ１８から読み出される（Ｓ７９）。続いて、Ｓ７６で復号化されたカメラＩＤに関連付けされている、管理ＤＢ２１に登録されている利用者情報に含まれる住所等に関する情報とＳ７８で復号化された印刷注文情報とを含む印刷要求情報が生成され（Ｓ８０）、その印刷要求情報とＳ７９で読み出された原画像データとが通信部２６から印刷業者の印刷装置宛（印刷装置の通信アドレス宛）に送信される（Ｓ８１）。続いて、Ｓ７８で復号化された印刷注文情報に応じて印刷料金が計算される（Ｓ８２）。続いて、管理ＤＢ２１から、Ｓ７６で復号化されたカメラＩＤに関連付けされている、管理ＤＢ２１に登録されている利用者情報に含まれる決済口座番号を読み出し（Ｓ８３）、その決済口座番号に係る決済口座から、Ｓ８２で計算された印刷料金を引き落とすための処理が行われる（Ｓ８４）。続いて、その印刷料金を利用者の決済口座から引き落としたことを通知する情報として領収書データが生成され、暗号／復号部２０により暗号化される（Ｓ８５）。尚、この暗号化は、デジタルカメラ１から取得した暗号キーを用いて行われる。続いて、Ｓ８５で暗号化された領収書データがデジタルカメラ１宛に送信される（Ｓ８６）。
【００５５】
デジタルカメラ１では、通信部１４が、暗号化された領収書データを受信すると、その暗号化された領収書データが暗号／復号部６により復号化され（Ｓ８７）、その復号化された領収書データが所定のメモリ（例えば画像メモリ９）に保存される（Ｓ８８）。尚、Ｓ８７での復号化は、Ｓ７０で生成された復号キーを用いて行われる。
【００５６】
以上の図８に示した処理により、表示されているサムネール画像の中から印刷対象とする所望のサムネール画像が選択され印刷注文情報が入力されると、そのサムネール画像に係る原画像の印刷要求が印刷業者に対して行われ、その印刷注文に係る印刷料金の引き落としが行われるようになる。
【００５７】
尚、印刷業者の印刷装置では、管理サーバ２から送信された、原画像データと印刷要求情報を受信すると、印刷要求情報に含まれる印刷注文情報に応じて原画像データに係る原画像が印刷される。そして、その印刷画像が、印刷要求情報に含まれる住所等に関する情報に係る特定の住所へ配達或いは郵送され、後日、利用者は印刷画像を受け取ることができる。
【００５８】
以上、本実施例によれば、利用者登録を行ってカメラＩＤを取得した者のみに対して、必要に応じて撮影した画像の印刷画像が提供されるようになるので、例えばコンサート会場等のように撮影制限が必要とされるところにおいて、撮影を制限しつつ一定条件の下に撮影した画像を印刷画像として提供することが可能になる。
【００５９】
尚、本実施例において、印刷装置宛に原画像データと印刷要求情報を送信する際に（図８のＳ８１参照）、その原画像データと、その印刷要求情報に含まれる、住所等に関する情報と印刷注文情報とを、暗号化した上で、送信するようにすることも可能である。
また、Ｓ７３乃至７５において、カメラＩＤと画像ＩＤと印刷注文情報を暗号化しないで、そのまま暗号キーと共に管理サーバ２へ送信するようにすることも可能である。この場合には、Ｓ７１乃至Ｓ７２において暗号キーと復号キーの生成は行われず、Ｓ７６及びＳ７８においてカメラＩＤの復号化及び画像ＩＤと印刷注文情報の復号化は行われない。
【００６０】
一方、実施例１に図８で説明した課金処理と同様なステップを付加してもよい。この場合、原画像データ自体が有料で提供される。Ｓ４２で選択しＳ５５で取得した画像の枚数に応じて料金が決まる。その料金を利用者の決済口座から引き落とす。尚、画像データのサイズを指定できるようにし、そのサイズによっても料金が異なるようにしてもよい。この場合、Ｓ５４の原画像データを暗号化する前に、利用者が指定したサイズに画像リサイズ処理を行う。
【実施例３】
【００６１】
本実施例は、撮影した原画像に係る原画像データをデジタルカメラ１が暗号化して保存するようにし、それを管理サーバ２から送信される復号キーを用いて復号化することにより画像の提供を行うようにしたものである。
図９は、本発明の実施例３に係る撮影管理システムの構成を示すブロック図である。
【００６２】
同図に示したように、本システムは、デジタルカメラ１が、透かしデータを合成する透かし合成部３６と当該デジタルカメラ１に接続される外部装置との間で情報の送受信を行うインターフェース３７とを更に有すると共に暗号キー生成部１２を省いた点と、管理サーバ２が、透かし合成部２３の代わりに透かしデータを生成する透かし生成部３８を有する点とが、実施例１に係るシステム（図１参照）と異なり、その他の構成は同じである。
【００６３】
本実施例に係るシステムでは、その動作として、まず前述のＳ１の処理（図２参照）が行われた後、撮影を行い原画像（原画像データ）を暗号化して保存する図１０に示す処理が行われ、その暗号化された原画像を復号化する図１１に示す処理が行われる。
図１０は、前述の、撮影を行い原画像を暗号化して保存する処理内容を示すフローチャートである。
【００６４】
同図において、Ｓ１１１乃至１１５，Ｓ１１９乃至１２３，及びＳ１２８はデジタルカメラ１の動作を示し、Ｓ１１６乃至１１８，及びＳ１２４乃至１２７は管理サーバ２の動作を示している。
まず、デジタルカメラ１において、利用者によるシャッターボタンの押下が検出されると（Ｓ１１１）、Ｓ１１２乃至１１４の処理とＳ１１５の処理が並列に行われる。Ｓ１１２乃至Ｓ１１４では、Ｓ２２乃至Ｓ２４（図４参照）と同様の処理が行われる。また、Ｓ１１５では、暗号キーと透かしデータの要求信号が通信部１４から管理サーバ２宛に送信される。
【００６５】
管理サーバ２では、通信部２４が、暗号キーと透かしデータの要求信号を受信すると、暗号キー生成部２２により暗号キーとこれに対応する復号キーとが生成され（Ｓ１１６）、透かし生成部３８により透かしデータが生成される（Ｓ１１７）。そして、Ｓ１１６で生成された暗号キーとＳ１１７で生成された透かしデータとが通信部２４からデジタルカメラ１宛に送信される（Ｓ１１８）。
【００６６】
デジタルカメラ１では、通信部１４が、暗号キーと透かしデータとを受信すると、その透かしデータが、透かしデータ合成部３６により、Ｓ１１２で得られた原画像データに合成され（Ｓ１１９）、その合成された原画像データが暗号／復号部６により暗号化される（Ｓ１２０）。続いて、その暗号化された原画像データとＳ１１３で生成されたサムネール画像データがＳ１１４で生成された画像ＩＤに関連付けされて画像メモリ９に保存される（Ｓ１２１）。尚、Ｓ１２０での暗号化は、管理サーバ２から取得した暗号キーを用いて行われる。続いて、Ｓ１１４で生成された画像ＩＤとカメラＩＤメモリ５に記憶されているカメラＩＤとが暗号／復号部６により暗号化され（Ｓ１２２）、その暗号化された画像ＩＤとカメラＩＤとが、通信部１４から管理サーバ２宛に送信される（Ｓ１２３）。尚、Ｓ１２２での暗号化は、管理サーバ２から取得した暗号キーを用いて行われる。
【００６７】
管理サーバ２では、通信部２４が、暗号化された画像ＩＤとカメラＩＤとを受信すると、その暗号化された画像ＩＤとカメラＩＤとが暗号／復号部２０により復号化される（Ｓ１２４）。そして、カメラＩＤの認証が行われ（Ｓ１２５）、カメラＩＤが正当なものであると認証された場合はＳ１２６以降の処理が実行される。Ｓ１２６では、Ｓ１２４で復号化された画像ＩＤとカメラＩＤとがＳ１１６で生成された復号キーと関連付けされて画像情報ＤＢ１８に保存される（Ｓ１２７）。尚、Ｓ１２４での復号化は、Ｓ１１８で生成された復号キーを用いて行われる。続いて、復号キーが保存された旨を通知する復号キー保存結果が通信部２４からデジタルカメラ１宛に送信される（Ｓ１２７）。
【００６８】
デジタルカメラ１では、通信部１４が、復号キー保存結果を受信すると、利用者に対し撮影完了通知が行われる（Ｓ１２８）。この撮影完了通知は、例えば、表示部１０にその旨の表示を行うこと等により行われる。
以上Ｓ１１１からＳ１２８の処理がデジタルカメラ１のシャッターを操作するたびに繰り返される。
【００６９】
以上の図１０に示した処理により、撮影が行われると、撮影した画像に係る原画像データが暗号化されてデジタルカメラ１の画像メモリ９に保存され、その暗号化された原画像データを復号化するための復号キーが管理サーバ２の画像情報ＤＢ１８に保存されるようになる。
【００７０】
図１１は、前述の、暗号化された原画像を復号化する処理内容を示すフローチャートである。
同図において、Ｓ１３１乃至１３４，Ｓ１３７乃至１３９，及びＳ１４６乃至１４９はデジタルカメラ１の動作を示し、Ｓ１３５乃至１３６，及びＳ１４０乃至１４５は管理サーバ２の動作を示している。
【００７１】
同図において、Ｓ１３１乃至１４２の処理は、Ｓ４１乃至５２の処理（図５参照）と同じである。すなわち、Ｓ１３１乃至１３４では、Ｓ４１乃至４４と同様の処理が行われ、Ｓ１３５乃至１３６では、Ｓ４５乃至４６と同様の処理が行われ、Ｓ１３７乃至１３９では、Ｓ４７乃至４９と同様の処理が行われ、Ｓ１４０乃至１４２では、Ｓ５０乃至５２と同様の処理が行われる。尚、Ｓ１３９にて送信される画像要求信号は、復号キー要求信号である。
【００７２】
Ｓ１４２に引き続き、Ｓ１４０で復号化されたカメラＩＤとＳ１４２で復号化された画像ＩＤとに関連付けされている原画像の復号キーが画像情報ＤＢ１８から読み出され（Ｓ１４３）、その原画像の復号キーと画像ＩＤとが暗号／復号部２０により暗号化される（Ｓ１４４）。尚、この暗号化は、デジタルカメラ１から取得した暗号キーを用いて行われる。続いて、暗号化された原画像の復号キーと画像ＩＤとが、通信部２４からデジタルカメラ１宛（に送信される（Ｓ１４５）。
【００７３】
デジタルカメラ１では、通信部１４が、暗号化された原画像の復号キーと画像ＩＤとを受信すると、その暗号化された原画像の復号キーと画像ＩＤとが暗号／復号部６により復号化される（Ｓ１４６）。尚、この復号化は、Ｓ１３４で生成された復号キーを用いて行われる。続いて、復号化された画像ＩＤに関連付けされている暗号化された原画像データが画像メモリ９から読み出され（Ｓ１４７）、その暗号化された原画像データが、Ｓ１４６で復号化された原画像の復号キーを用いて暗号／復号部６により復号化され（Ｓ１４８）、その復号化された原画像データが画像メモリ９に保存される（Ｓ１４９）。
【００７４】
以上、図１１に示した処理により、表示されているサムネール画像の中から所望のサムネール画像が選択されると、そのサムネール画像の原画像に係る暗号化された原画像データが、管理サーバ２から送信された復号キーを用いて復号化され、その復号化された原画像データが画像メモリ９に保存されるようになる。
【００７５】
尚、画像メモリ９に保存された原画像データは、必要に応じて、インターフェース３７を介して接続される外部記憶装置へ保存するようにすることも可能である。
以上、本実施例によれば、利用者登録を行ってカメラＩＤを取得した者のみに対して、必要に応じて撮影した画像の原画像が提供されるようになるので、例えばコンサート会場等のように撮影制限が必要とされるところにおいて、撮影を制限しつつ一定条件の下に撮影した画像を提供することが可能になる。また、上述の第１の実施例に係る撮影管理システムの場合と異なり、デジタルカメラ１と管理サーバ２との間で撮影した原画像の伝送が行われないので、デジタルカメラ１の通信部１４と管理サーバ２の通信部２４間の情報伝送量が少なくなる利点がある。
【００７６】
以上に説明した実施例１乃至３に係る撮影管理システムにおいて、デジタルカメラ１を、携帯電話機やＰＤＡ（ Personal Digital Assistance ）等に適用して、カメラ機能付き携帯電話機やカメラ機能付きＰＤＡ等として構成することも可能である。
以上、本発明について詳細に説明したが、本発明は上記実施例に限定されず、本発明の要旨を逸脱しない範囲において、各種の改良及び変更を行っても良いのはもちろんである。
【図面の簡単な説明】
【００７７】
【図１】実施例１に係る撮影管理システムの構成を示すブロック図である。
【図２】実施例１に係る撮影管理システムの動作を示すゼネラルフローチャートである。
【図３】実施例１に係るＳ１の処理内容を示すフローチャートである。
【図４】実施例１に係るＳ２の処理内容を示すフローチャートである。
【図５】実施例１に係るＳ３の処理内容を示すフローチャートである。
【図６】実施例２に係る撮影管理システムの構成を示すブロック図である。
【図７】実施例２に係る撮影管理システムの動作を示すゼネラルフローチャートである。
【図８】実施例２に係るＳ６３乃至６４の処理内容を示すフローチャートである。
【図９】実施例３に係る撮影管理システムの構成を示すブロック図である。
【図１０】実施例３に係る、撮影を行い原画像を暗号化して保存する処理内容を示すフローチャートである。
【図１１】実施例３に係る、暗号化された原画像を復号化する処理内容を示すフローチャートである。
【符号の説明】
【００７８】
１      デジタルカメラ
２      管理サーバ
３      プログラムメモリ
４      コントローラ
５      カメラＩＤメモリ
６      暗号／復号部
７      撮像部
８      縮小画像生成部
９      画像メモリ
１０    表示部
１１    操作部
１２    暗号キー生成部
１３    画像ＩＤ生成部
１４    通信部
１６    プログラムメモリ
１７    コントローラ
１８    画像情報ＤＢ
１９    管理ＩＤ生成部
２０    暗号／復号部
２１    管理ＤＢ
２２    暗号キー生成部
２３    透かし合成部
２６    通信部
３６    透かし合成部
３７    インターフェース
３８    透かし生成部
【図１】
0004409318.tif 000002
【図２】
0004409318.tif 000003
【図３】
0004409318.tif 000004
【図４】
0004409318.tif 000005
【図５】
0004409318.tif 000006
【図６】
0004409318.tif 000007
【図７】
0004409318.tif 000008
【図８】
0004409318.tif 000009
【図９】
0004409318.tif 000010
【図１０】
0004409318.tif 000011
【図１１】
0004409318.tif 000012